(57)【要約】【課題】開口部の大きさが変わっても、外枠付のフィルタを新規に設計することなく、用途別に必要なフィルタを複数枚装着できる吸気／排気機構とする。【解決手段】ルーバー部２は爪１１を有し、外装カバー１の穴１２に嵌合させて取り付け／取り外しを行う。ルーバー部２は外装カバー１の排気口に合わせた段差部を構成する流路側壁１３が設けてある。この流路側壁１３にはフィルタ３を設置するためのスリット１３ａが設けてある。このスリット１３ａへフィルタ３を設置し、固定部材４でルーバー部２の指定箇所へ固定する。フィルタ３の取り外し、交換は、ルーバー部２を外装カバー１から引き出し、スリット１３ａからフィルタ３を取り出して行う。【選択図】図１
2015094904.tif 000002
【特許請求の範囲】
【請求項１】
機器の外装カバーにルーバー部を着脱可能にした吸気／排気機構であって、
前記ルーバー部の内部に、フィルタ部材を装着するために要する所定の奥行きの段差部を設け、
該段差部に、１枚又は複数枚のフィルタ部材を装着することが可能な装着部を設け、
装着されるフィルタの位置決め手段を有する、
ことを特徴とする吸気／排気機構。
【請求項２】
前記段差部には、装着するフィルタを通す開口部を相対的に間隔を開けて複数設けたことを特徴とする請求項１に記載の吸気／排気機構。
【請求項３】
前記フィルタの位置決め手段が、装着したフィルタを挟む固定部材であり、
装着したフィルタをせん断するせん断手段を有する、
ことを特徴とする請求項１又は２に記載の吸気／排気機構。
【請求項４】
前記段差部に一枚又は複数枚のフィルタを装着してなることを特徴とするフィルタ装置。
【請求項５】
請求項１乃至３のいずれかに記載の吸気／排気機構を備えたことを特徴とする画像形成装置。
【請求項６】
請求項４に記載のフィルタ装置を備えたことを特徴とする画像形成装置。
【発明の詳細な説明】
【技術分野】
【０００１】
本発明は、吸気／排気機構、これを備えたフィルタ装置、画像形成装置に関する。
【背景技術】
【０００２】
フィルタ（濾紙）と外枠が一体成型されたフィルタをルーバー装置へ１枚設置する技術（特許文献１）に開示されている。また、フィルタ（濾紙）と外枠が一体成型されたフィルタをダクト装置へ複数枚設置する技術（特許文献２）に開示されている。
【０００３】
上述の既存の技術では、フィルタ（繊維上の紙等）と外枠（樹脂）を一体成型しており、開口部の大きさが変わると大きさに応じた部品（型）を製作しなければならない。また、リサイクルの観点からも異種材料であり、分別性に優れていることが求められている。
【０００４】
また昨今では、芳香性のあるものや、微粒子の物性に応じたフィルタが多く見受けられる。機器においては、特有の臭いを持ったものや微粒子を含んだものを排出したりするため、排気口へはフィルタを装着している。そして吸気口においても、同様に機器内部へ粉塵や微粒子等が流れ込むことを防止するためフィルタを装着しているのが一般的である。
【０００５】
このような装置において、主にフィルタは１枚のみ設置できる構成の場合は、その用途が限定されてしまう。例えばＰＭ２．５フィルタはＰＭ２．５以上の微粒子の除去用に、オゾンフィルタであればオゾン除去用に、芳香性フィルタは香り付けなど用に限定される。
【０００６】
また、多数枚のフィルタを設置する場合には、外枠と一体成型したものを重ねて設置するのが一般的である。
【発明の概要】
【発明が解決しようとする課題】
【０００７】
いずれにしても従来の吸気／排気機構は、開口部の大きさが変わると外枠付のフィルタを新規に設計する必要があり、それが面倒で、コストアップの要因ともなっていた。
【０００８】
本発明は以上の問題点にかんがみてなしたものであり、吸気／排気のための開口部の大きさが変わっても外枠付のフィルタを新規に設計する必要がない吸気／排気機構を提案することを目的とする。
【課題を解決するための手段】
【０００９】
本発明の吸気／排気機構は、機器の外装カバーにルーバー部を着脱可能にした吸気／排気機構であって、前記ルーバー部の内部に、フィルタ部材を装着するために要する所定の奥行きの段差部を設け、該段差部に、１枚又は複数枚のフィルタ部材を装着することが可能な装着部を設け、装着されるフィルタの位置決め手段を有する、ことを特徴とする。
【発明の効果】
【００１０】
本発明によれば、開口部の大きさが変わっても、外枠付のフィルタを新規に設計することなく、用途別に必要なフィルタを複数枚装着できる。
【図面の簡単な説明】
【００１１】
【図１】画像形成装置における外装カバー装置の概略図を示す斜視図である。
【図２】ルーバー部へフィルタを３枚設置した外装カバー装置を画像形成装置に装着する状態を示す拡大断面図である。
【図３】固定部材にて両端を固定する状態を示す外装カバー装置の背面側の斜視図である。
【図４】ルーバー部へフィルタを設置し、固定部材にて両端を固定した状態の外装カバー装置を示す正面図（Ａ）と要部の拡大断面図（Ｂ）である。
【図５】ルーバー部へフィルタを設置し、固定部材にて両端を固定した状態の外装カバー装置を示す正面図（Ａ）、Ｂ−Ｂ線に沿う拡大断面図（Ｂ）である。
【図６】ルーバー部へフィルタを設置し、固定部材にて両端を固定した状態の外装カバー装置を示す正面図（Ａ）、固定部材の側面図（Ｂ）、固定部材の長手方向中央部の断面図（Ｃ）である。
【発明を実施するための形態】
【００１２】
以下、本発明の実施形態を説明する。
本発明の実施形態は、吸気／排気機構、これを備えたフィルタ装置、画像形成装置に関する。画像形成装置は、例えば複写機、プリンタ、ファクシミリ、これらの複合機等の画像形成装置である。
【００１３】
上述したような背景から、本発明では開口部の大きさが変わっても、外枠付のフィルタを新規に設計することなく、用途別に必要なフィルタを複数枚装着できる装置として提案する。また、使用者でも交換が容易なように市販されているフィルタを用いることで、低コスト（型費／部品費）で汎用性が高く利便性の良い装置とする。
【００１４】
本発明の実施形態に係るフィルタ装置においては、外装カバーのルーバー部にフィルタを設置する流路を有する。そのため、大きな外装カバーを取り外さなくても容易に取り外すことができ、市販されているフィルタを用いて交換が容易にできる。
【００１５】
また、既存技術では、フィルタと外枠を一体成型したものをフィルタ装置へレール形状（ガイド形状）を用いて取り付けている。外枠があることにより形状が維持されるためレール形状で設置可能である。
【００１６】
一方、本発明の実施形態では、外枠は無く、フィルタのみをフィルタ装置へ取り付けるので、形状を保持する機構が必要となる。その対応策として流路の側壁に相対する開口部を設け、開口部へフィルタを通すことで形状保持を行うことが可能となる。同時に複数枚のフィルタを設置する場合には、対応した複数の開口部の間隔を空けてルーバー部へ配置することで可能となる。間隔を空ける理由は、空間を開けることでフィルタ間へ気流が流れるようにするためである。重ねてフィルタを配置すると、フィルタの圧損が大きくなり、目が細かくなる。すると、空気が通らず、気流が流れなくなる。そのため、気流が流れ難くなる。
【００１７】
また他の実施形態のフィルタ装置においては、流路側壁に相対する開口部を複数有し、複数のフィルタの位置決めが容易にできる。
【００１８】
上述したように、市販品のフィルタを使用者が購入し交換可能なようにしている。市販されているフィルタは規格サイズにカットされていたりロール上のものであったりすることから、設置空間に合わせてカットする必要性がある。フィルタ装置に付属されているフィルタの固定部材端部にせん断するための「刃」を設ける。このことで、使用者が工具を準備せずとも固定部材を止めることで必要サイズにカットされるため前記問題は解決できる。
【００１９】
さらに他の実施形態のフィルタ装置においては、固定材に刃を有している。そのため、道具の準備が要らず、市販されているフィルタを裁断できる。
【００２０】
以下、図面を参照して本発明の実施形態を説明する。
＜実施形態１＞
ルーバー部２は爪１１を有している。実施対象である機器（図示の例は画像形成装置）の外装カバー１の穴１２に爪１１を着脱可能に嵌合させることによって取り付け／取り外しを行うことが一般的に知られている。ルーバー部２の内部には外装カバー１の排気口に合わせた段差部（流路側壁１３）を設けており、この流路側壁１３で囲まれた空間を通って画像形成装置の排気を行っている（図１、２参照）。
【００２１】
この段差部を形成する装着部（流路側壁１３）には、１枚または複数枚のフィルタ部材を設置するための相対する開口部（スリット１３ａ）が設けられている。このスリット１３ａを利用してフィルタ３を設置し、固定部材４にてルーバー部２の指定箇所へ固定する（図３参照）。なお段差部の奥行き寸法は、フィルタ３を装着するのに十分な長さ（流路側壁１３の長さ）とすることはもちろんである。
【００２２】
スリット１３ａは、流路側壁１３の上壁面部を除く３つの壁面部に設けてあり、フィルタ３は、下壁面部に設けたスリット１３ａを利用してルーバー部２の下側から装着する。またフィルタ３の両端部３ａは、流路側壁１３の横壁面部のスリット１３ａから流路側壁１３外へ出し、後述する固定部材４による固定を行う。この構造でフィルタ３の取り外し、交換は、ルーバー部２を外装カバー１から引き出し、固定部材４による固定を解除し、その後、流路側壁１３の下壁面部に設けたスリット１３ａを利用してフィルタ３をルーバー部２の下側へ取り出して行う。フィルタ３は、３つのスリット１３ａすべてを用いれば、図示の例では３枚のフィルタ３を取り付け得る。一つのフィルタ１３ａだけを適宜選択し、利用して１枚取り付けても良い。また、２つのスリット１３ａを適宜選択して２枚取り付けても良い。いずれでも適宜に選択可能である。
【００２３】
固定部材４はルーバー部２の係止形状部１４にて固定される。ルーバー部２へは凸形状部１５を付加し、固定部材４へは嵌合するべく凹形状部１６を付加して設けてある。これにより、フィルタ３を抑える表面積を増やすことで摩擦を大きくしフィルタ３がすり抜けてしまうことを防止している（図４、５参照）。また、固定部材４はフィルタ３をせん断するための刃１７を有している。この刃１７により、フィルタ３を抑えた状態で固定部材４を固定すると、フィルタ３はルーバー部２との間に挟まれてせん断され、固定される（図５参照）。すなわち刃１７はフィルタ３を完全に切り離すものではなく、フィルタ３を貫いて外装カバー１へ食い込むものである。したがって、同様の作用を行い得る突起などで代替することができる。
【００２４】
この時、刃１７がルーバー部２内側に向いた状態で固定されると、フィルタ３は固定部材４に挟まれた領域よりも内側で裁断されるため、固定されない。そのため、固定部材４の刃１７が外側に向くようにルーバー部２へ固定されなければならない。これについては、ルーバー部２の凸形状部１５の位置を互い違いにし、それに合わせた固定部材４の凹形状部１６とすることで、対応している（図６、特に図６（Ａ）参照）。もちろん、ルーバー部２の凸形状部１５における寸法「Ｘ１」は固定部材４の凹形状部１６の寸法「Ｘ１」に対応させる。
【００２５】
本発明は以上説明した実施形態に限定されるものではなく、多くの変形が本発明の技術的思想内で当分野において通常の知識を有する者により可能である。例えば、空気清浄器やガスタービンなどのエアークリーナー等の吸気／排気機構とすることなども可能である。
【符号の説明】
【００２６】
１        ：外装カバー
２        ：ルーバー部
３        ：フィルタ
３ａ      ：両端部
４        ：固定部材
１１      ：爪
１２      ：穴
１３      ：流路側壁
１３ａ    ：スリット
１４      ：係止形状部
１５      ：凸形状部
１６      ：凹形状部
１７      ：刃
【先行技術文献】
【特許文献】
【００２７】
【特許文献１】特開２０１０−２５５６１２号公報
【特許文献１】特開２００５−１３８０３４号公報
【図１】
2015094904.tif 000003
【図２】
2015094904.tif 000004
【図３】
2015094904.tif 000005
【図４】
2015094904.tif 000006
【図５】
2015094904.tif 000007
【図６】
2015094904.tif 000008